(57)【特許請求の範囲】
【請求項１】
無線通信ネットワーク内のセル再選択のための方法であって、
無線通信サービスを第１のアクセスポイントから受けることと、
第２のアクセスポイントの種別および信号強度を決定することであって、該第２のアクセスポイントの種別は該第２のアクセスポイントが優先アクセスポイントの維持リストに含まれるか否かを含み、
該第２のアクセスポイントが前記リストに関連付けられていることを確認することと、
該第１のアクセスポイントからセル再選択のために該第２のアクセスポイントをランク付けする際に該第２のアクセスポイントの該信号強度に、該第２のアクセスポイントの種別に少なくとも部分的に基づいて選択されるオフセットを適用することとを備える方法。
【請求項２】
前記第１のアクセスポイントの種別に少なくとも部分的に基づいて前記第１のアクセスポイントの信号強度にヒステリシス値を適用することをさらに備える請求項１に記載の方法。
【請求項３】
前記第１のアクセスポイントの種別は、前記第１のアクセスポイントが優先アクセスポイントの維持リストに含まれるかどうかに関係する請求項２に記載の方法。
【請求項４】
前記第１のアクセスポイント、前記第２のアクセスポイントまたは前のすでにアクセスしたことのあるアクセスポイントから前記ヒステリシス値を受信することをさらに備える請求項２に記載の方法。
【請求項５】
前記オフセットによって修正された前記第２のアクセスポイントの前記信号強度が、前記ヒステリシス値によって修正された前記第１のアクセスポイントの前記信号強度を超える場合に前記第２のアクセスポイントへのセル再選択を実行することをさらに備える請求項２に記載の方法。
【請求項６】
前記セル再選択は、前記無線通信ネットワークに関してアイドル通信モードに入っている間に実行される請求項５に記載の方法。
【請求項７】
前記オフセットによって修正された前記第２のアクセスポイントの前記信号強度が、前記ヒステリシス値によって修正された前記第１のアクセスポイントの前記信号強度を超える場合に第３のアクセスポイントへのセル再選択を実行することをさらに備える請求項２に記載の方法。
【請求項８】
前記第１のアクセスポイントは、前記第２のアクセスポイントと異なる周波数帯にある請求項７に記載の方法。
【請求項９】
前記第１のアクセスポイント、前記第２のアクセスポイントまたは前のすでにアクセスしたことのあるアクセスポイントから前記オフセットを受信することをさらに備える請求項１に記載の方法。
【請求項１０】
前記第２のアクセスポイントの前記決定された種別は、フェムトセルまたはマクロセルを含む請求項１に記載の方法。
【請求項１１】
前記第２のアクセスポイントの前記決定された種別は、前記第２のアクセスポイントが制限付きまたは非制限付き関連付けを実行するかどうかを含む請求項１に記載の方法。
【請求項１２】
前記第２のアクセスポイントの前記信号強度は、前記第１のアクセスポイントから離れるようにチューニングすることによって決定される請求項１に記載の方法。
【請求項１３】
無線通信装置であって、
無線通信サービスを第１のアクセスポイントから受け、
該第１のアクセスポイントおよび第２のアクセスポイントのそれぞれに対する種別および信号強度を受信し、該第２のアクセスポイントの種別は該第２のアクセスポイントが優先アクセスポイントの維持リストに含まれるか否かを含み、
該第２のアクセスポイントが前記リストに関連付けられていることを確認し、
該第１のアクセスポイントからセル再選択のために該第２のアクセスポイントをランク付けする際に該第２のアクセスポイントの該信号強度に、該第２のアクセスポイントの種別に少なくとも部分的に基づいて適用されるオフセットを適用し、
該第１のアクセスポイントから再選択のために該第２のアクセスポイントをランク付けする際に該第１のアクセスポイントの該信号強度に、該第１のアクセスポイントの種別に少なくとも部分的に基づいて選択されるヒステリシスを適用する
ように構成された少なくとも１つのプロセッサと、
該少なくとも１つのプロセッサに結合されたメモリとを備える無線通信装置。
【請求項１４】
１つまたは複数のアクセスポイントへのセル再選択を実行することを容易にする無線通信装置であって、
サービスを第１のアクセスポイントから受けるための手段と、
第２のアクセスポイントの種別および信号強度を決定するための手段であって該第２のアクセスポイントの種別は該第２のアクセスポイントが優先アクセスポイントの維持リストに含まれるか否かを含み、
該第２のアクセスポイントが前記リストに関連付けられていることを確認するための手段と、
該第１のアクセスポイントから再選択のために該第２のアクセスポイントをランク付けする際に該第２のアクセスポイントの該信号強度に、該第２のアクセスポイントの種別に少なくとも部分的に基づいて選択されるオフセットを適用するための手段とを備える無線通信装置。
【請求項１５】
第１のアクセスポイントから無線通信サービスを少なくとも１つのコンピュータに受けさせるためのコードと、
第２のアクセスポイントの種別および信号強度を該少なくとも１つのコンピュータに決定されるためのコードであって、該第２のアクセスポイントの種別は該第２のアクセスポイントが優先アクセスポイントの維持リストに含まれるか否かを含み、
該第２のアクセスポイントが前記リストに関連付けられていることを該少なくとも１つのコンピュータに確認させるためのコードと、
該第１のアクセスポイントからセル再選択のために該第２のアクセスポイントをランク付けする際に該第２のアクセスポイントの該信号強度に、該第２のアクセスポイントの種別に少なくとも部分的に基づいて選択されるオフセットを適用することを該少なくとも１つのコンピュータに行わせるためのコードとを備える、コンピュータ可読媒体。
【請求項１６】
装置であって、
１つまたは複数の周囲アクセスポイントの信号強度を測定するセクタパラメータ測定器と、
該１つまたは複数の周囲アクセスポイントの該信号強度に、その種別に少なくとも部分的に基づいてオフセットを適用するアクセスポイントオフセット指定器と、
優先アクセスポイントまたは関係するアクセスポイントグループの維持リスト内に、前記１つまたは複数の周囲アクセスポイントが存在することに少なくとも部分的に基づいて、前記１つまたは複数の周囲アクセスポイントの種別を決定し、前記１つまたは複数の周囲アクセスポイントが前記リストに関連付けられていることを確認するアクセスリスト制御器と、
現在のアクセスポイントに関して該オフセット適用信号強度のランク付けに少なくとも部分的に基づいて該１つまたは複数の周囲アクセスポイントとの通信を確立するセル再選択器とを備える装置。
【請求項１７】
前記現在のアクセスポイントの種別に少なくとも部分的に基づいて前記現在のアクセスポイントの信号強度にヒステリシス値を適用するアクセスポイントヒステリシス指定器をさらに備える請求項１６に記載の装置。
【請求項１８】
前記現在のアクセスポイントの種別は、前記現在のアクセスポイントが優先アクセスポイントまたは関係するアクセスポイントのグループの維持リストに含まれるか否かを含む請求項１７に記載の装置。
【請求項１９】
前記アクセスポイントヒステリシス指定器は、前記現在のアクセスポイント、前記１つまたは複数の周囲アクセスポイントまたは前のすでにアクセスしたことのあるアクセスポイントから前記ヒステリシス値を受信する請求項１７に記載の装置。
【請求項２０】
前記アクセスポイントオフセット指定器は、前記現在のアクセスポイント、前記１つまたは複数の周囲アクセスポイントまたは前のすでにアクセスしたことのあるアクセスポイントから前記オフセットを受信する請求項１６に記載の装置。
【請求項２１】
前記セル再選択器は、前記現在のアクセスポイントに関してアイドル通信モードに入っている間に前記１つまたは複数の周囲アクセスポイントとの通信を確立する請求項１６に記載の装置。
【請求項２２】
前記セル再選択器は、前記通信確立が、前記１つまたは複数の周囲アクセスポイントによって拒否された場合に異なるアクセスポイントとの通信を確立する請求項１６に記載の装置。
【請求項２３】
前記異なるアクセスポイントは、前記１つまたは複数の周囲アクセスポイントと異なる周波数帯にある請求項２２に記載の装置。
【請求項２４】
前記１つまたは複数の周囲アクセスポイントの種別は、フェムトセルまたはマクロセルを含む請求項１６に記載の装置。
【請求項２５】
前記１つまたは複数の周囲アクセスポイントの種別は、前記１つまたは複数の周囲アクセスポイントが制限付きまたは非制限付き関連付けを有するかどうかを含む請求項１６に記載の装置。
【請求項２６】
前記１つまたは複数の周囲アクセスポイントの信号強度は、前記現在のアクセスポイントから離れるようにチューニングすることによって決定される請求項１６に記載の装置。
【発明の詳細な説明】
【関連出願】
【０００１】
本出願は、２００７年１１月１６日に出願した「ＡＰＰＡＲＡＴＵＳ  ＡＮＤ  ＭＥＴＨＯＤ  ＴＯ  ＦＡＣＩＬＩＴＡＴＥ  ＩＤＬＥ  ＳＴＡＴＥ  ＨＡＮＤＯＦＦ  ＩＮ  ＳＹＳＴＥＭＳ  ＷＩＴＨ  ＲＥＳＴＲＩＣＴＥＤ  ＡＳＳＯＣＩＡＴＩＯＮ」という表題の米国仮特許出願第６０／９８８，６３１号、２００７年１１月１６日に出願した「ＡＰＰＡＲＡＴＵＳ  ＡＮＤ  ＭＥＴＨＯＤ  ＴＯ  ＦＡＣＩＬＩＴＡＴＥ  ＣＯＮＮＥＣＴＥＤ  ＳＴＡＴＥ  ＨＡＮＤＯＦＦ  ＩＮ  ＳＹＳＴＥＭＳ  ＷＩＴＨ  ＲＥＳＴＲＩＣＴＥＤ  ＡＳＳＯＣＩＡＴＩＯＮ」という表題の米国仮特許出願第６０／９８８，６４１号、および２００７年１１月１６日に出願した「ＡＰＰＡＲＡＴＵＳ  ＡＮＤ  ＭＥＴＨＯＤ  ＴＯ  ＦＡＣＩＬＩＴＡＴＥ  ＭＡＮＡＧＥＭＥＮＴ  ＡＮＤ  ＡＤＶＥＲＴＩＳＥＭＥＮＴ  ＯＦ  ＮＥＩＧＨＢＯＲ  ＬＩＳＴＳ  ＩＮ  ＳＹＳＴＥＭＳ  ＷＩＴＨ  ＲＥＳＴＲＩＣＴＥＤ  ＡＳＳＯＣＩＡＴＩＯＮ」という表題の米国仮特許出願第６０／９８８，６４９号、２００８年８月５日に出願した「ＩＤＬＥ  ＭＯＤＥ  ＰＡＲＡＭＥＴＥＲＳ  ＦＯＲ  ＨｅＮＢ  ＤＥＴＥＣＴＩＯＮ  ＡＮＤ  ＣＡＭＰＩＮＧ」という表題の米国仮特許出願第６１／０８６，２２３号、および２００８年８月５日に出願した「ＩＤＬＥ  ＭＯＤＥ  ＰＡＲＡＭＥＴＥＲＳ  ＦＯＲ  ＨｅＮＢ  ＤＥＴＥＣＴＩＯＮ  ＡＮＤ  ＣＡＭＰＩＮＧ」という表題の米国仮特許出願第６１／０８６，３３７号の利益を主張するものである。上記の出願は全体が参照により本明細書に組み込まれる。
【０００２】
それに加えて、本出願は、すべて本出願と同時に出願され、本出願の譲受人に譲渡され、参照により本明細書に明示的に組み込まれている、同時係属の、「ＵＴＩＬＩＺＩＮＧ  ＲＥＳＴＲＩＣＴＩＯＮ  ＣＯＤＥＳ  ＩＮ  ＷＩＲＥＬＥＳＳ  ＡＣＣＥＳＳ  ＰＯＩＮＴ  ＣＯＮＮＥＣＴＩＯＮ  ＡＴＴＥＭＰＴＳ」という表題のＧａｖｉｎ  Ｈｏｒｎらによる米国特許出願（整理番号０７２３２４Ｕ１）、「ＵＴＩＬＩＺＩＮＧ  ＢＲＯＡＤＣＡＳＴ  ＳＩＧＮＡＬＳ  ＴＯ  ＣＯＮＶＥＹ  ＲＥＳＴＲＩＣＴＥＤ  ＡＳＳＯＣＩＡＴＩＯＮ  ＩＮＦＯＲＭＡＴＩＯＮ」という表題のＧａｖｉｎ  Ｈｏｒｎらによる米国特許出願（整理番号０７２３２４Ｕ３）、「ＣＬＡＳＳＩＦＹＩＮＧ  ＡＣＣＥＳＳ  ＰＯＩＮＴＳ  ＵＳＩＮＧ  ＰＩＬＯＴ  ＩＤＥＮＴＩＦＩＥＲＳ」という表題のＧａｖｉｎ  Ｈｏｒｎらによる米国特許出願（整理番号０７２３２４Ｕ４）、および「ＳＥＣＴＯＲ  ＩＤＥＮＴＩＦＩＣＡＴＩＯＮ  ＵＳＩＮＧ  ＳＥＣＴＯＲ  ＰＡＲＡＭＥＴＥＲＳ  ＳＩＧＮＡＴＵＲＥＳ」という表題のＧａｖｉｎ  Ｈｏｒｎらによる米国特許出願（整理番号０７２３２４Ｕ５）の関連出願である。
【技術分野】
【０００３】
以下の説明は、一般に、無線通信に関するものであり、より具体的には、無線通信ネットワーク内のアクセスポイントを優先処理することに関するものである。
【背景技術】
【０００４】
無線通信システムは、例えば、音声、データなどのさまざまな種類の通信コンテンツを提供するため広く展開されている。典型的な無線通信システムは、利用可能なシステムリソース（例えば、帯域幅、送信電力、…）を共有することにより複数のユーザとの通信をサポートすることができる多元接続システムであるものとしてよい。このような多元接続システムの例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および同様のシステムを挙げることができる。それに加えて、これらのシステムは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）、３ＧＰＰ  ＬＴＥ（Ｌｏｎｇ  Ｔｅｒｍ  Ｅｖｏｌｕｔｉｏｎ）、ＵＭＢ（Ｕｌｔｒａ  Ｍｏｂｉｌｅ  Ｂｒｏａｄｂａｎｄ）などの仕様に適合しているものとしてよい。
【０００５】
一般に、無線多元接続通信システムは、複数のモバイルデバイスの通信を同時にサポートすることができる。それぞれのモバイルデバイスは、順方向リンクおよび逆方向リンク上の伝送により１つまたは複数の基地局と通信することができる。順方向リンク（またはダウンリンク）は、基地局から移動体デバイスへの通信リンクを指し、逆方向リンク（またはアップリンク）は、移動体デバイスから基地局への通信リンクを指す。さらに、モバイルデバイスと基地局との間の通信は、単一入力単一出力（ＳＩＳＯ）システム、多入力単一出力（ＭＩＳＯ）システム、多入力多出力（ＭＩＭＯ）システムなどを介して確立されうる。それに加えて、モバイルデバイスは、他のモバイルデバイスと（および／または基地局が他の基地局と）ピアツーピア無線ネットワーク構成で通信することができる。
【０００６】
ＭＩＭＯシステムは、通例、データ伝送用に複数の（ＮＴ）送信アンテナと複数の（ＮＲ）受信アンテナを使用している。これらのアンテナは、基地局とモバイルの両方に関係し、一例では、無線ネットワーク上のデバイス間の双方向通信を可能にしうる。モバイルデバイスがサービスエリア全域にわたって移動するときに、それらのデバイスによって通信に使用されるセルは、１つまたは複数のアクセスポイント（例えば、マクロセル、フェムトセル、など）間で再選択されうる。これは、例えば、利用可能なアクセスポイント、つまりそのサービングセクタが、現在のアクセスポイントよりもよい信号またはサービスを提供できる場合に発生しうる。モバイルデバイスは、信号品質、サービスレベルなどの１つまたは複数のセルもしくはセクタに関係するパラメータを測定することができ、またそれらのパラメータのうちの１つまたは複数のパラメータに基づきうる、望ましさの程度に応じてセルまたはセクタをランク付けすることができる。一例では、利用可能なアクセスポイントは、望ましい課金、カバレージ、サービスオプションなどの機能を備える所定のモバイルデバイスに対するホームアクセスポイントに関係しうる。
【発明の概要】
【０００７】
以下では、１つまたは複数の実施形態の基本的な理解を深められるように、そのような実施形態の単純化された概要を述べる。この概要は、すべての企図される実施形態の網羅的な概要ではなく、すべての実施形態の主要なまたはクリティカルな要素を同定することも、いずれかまたはすべての実施形態の範囲を線引きすることも意図されてはいない。その唯一の目的は、後で提示されるより詳細な説明の前置きとして、単純化された形で１つまたは複数の実施形態のいくつかの概念を提示することである。
【０００８】
１つまたは複数の実施形態および対応するその開示によれば、無線通信において再選択について複数のアクセスポイントを優先することを容易にすることに関連してさまざまな態様が説明される。例えば、いくつかのアクセスポイントは、望ましい課金、データスループット、アクセスレベル、機能、および／または同様のものを提供することからモバイルデバイスによって好まれる可能性がある。モバイルデバイスは、少なくとも一部は優先アクセスポイントとの通信の測定にオフセットを適用することによって再選択時にそれらのアクセスポイントを優先することができ、これにより、優先アクセスポイントは、オフセットを使用しないで測定された他のアクセスポイントよりも望ましいものとなる。それに加えて、優先アクセスポイントに接続したときに、モバイルデバイスは、現在の優先アクセスポイントとの通信の測定にヒステリシスを加えて、現在のアクセスポイントをヒステリシス値を使用しない場合に比べて周囲アクセスポイントに関してより望ましいものとすることができる。この点で、デバイスは、広い範囲内にあるときに優先アクセスポイントへと抑制され、非優先アクセスポイントと比較して広い範囲にわたって優先アクセスポイントとの接続を維持することができる。
【０００９】
関連する態様によれば、無線通信ネットワーク内でのセル再選択のための方法が提供される。この方法は、第１のアクセスポイントから無線通信サービスを受け取ることと、第２のアクセスポイントの種別および信号強度を判定することを含むことができる。この方法は、第１のアクセスポイントからセル再選択のために第２のアクセスポイントをランク付けする際に第２のアクセスポイントの信号強度にオフセットを適用することをさらに含むことができ、このオフセットは、第２のアクセスポイントの種別に少なくとも部分的に基づいて選択される。
【００１０】
他の態様は、無線通信装置に関係する。無線通信装置は、第１のアクセスポイントから無線通信サービスを受け取り、第１のアクセスポイントおよび第２のアクセスポイントのそれぞれの種別および信号強度を受信するように構成された少なくとも１つのプロセッサを備えることができる。プロセッサは、第１のアクセスポイントからセル再選択のために第２のアクセスポイントをランク付けする際に第２のアクセスポイントの信号強度にオフセットを適用するようにさらに構成され、このオフセットは、第２のアクセスポイントの種別に少なくとも部分的に基づいて適用される。さらに、プロセッサは、第１のアクセスポイントからセル再選択のために第２のアクセスポイントをランク付けする際に第１のアクセスポイントの信号強度にヒステリシスを適用するようにさらに構成され、このヒステリシスは、第１のアクセスポイントの種別に少なくとも部分的に基づいて選択される。無線通信装置は、少なくとも１つのプロセッサに結合されたメモリも備える。
【００１１】
さらに他の態様は、１つまたは複数のアクセスポイントへのセル再選択を実行することを容易にする無線通信装置に関係する。無線通信装置は、第１のアクセスポイントからサービスを受け取るための手段と、第２のアクセスポイントの種別および信号強度を判定するための手段を備えることができる。無線通信装置は、それに加えて、第１のアクセスポイントからセル再選択のために第２のアクセスポイントをランク付けする際に第２のアクセスポイントの信号強度にオフセットを適用するための手段を備えることができ、このオフセットは、第２のアクセスポイントの種別に少なくとも部分的に基づいて選択される。
【００１２】
さらに他の態様は、第１のアクセスポイントから無線通信サービスを少なくとも１つのコンピュータに受信させるためのコードを含むコンピュータ可読媒体を有することができる、コンピュータプログラム製品に関する。コンピュータ可読媒体は、第２のアクセスポイントの種別および信号強度を少なくとも１つのコンピュータに判定させるためのコードを備えることもできる。さらに、コンピュータ可読媒体は、第１のアクセスポイントからセル再選択のために第２のアクセスポイントをランク付けする際に第２のアクセスポイントの信号強度にオフセットを適用することを少なくとも１つのコンピュータに行わせるためのコードを備えることができ、このオフセットは、第２のアクセスポイントの種別に少なくとも部分的に基づいて選択される。
【００１３】
さらに、追加の一態様は、装置に関係する。装置は、１つまたは複数の周囲アクセスポイントの信号強度を測定するセクタパラメータ測定器および１つまたは複数の周囲アクセスポイントの信号強度にその種別に少なくとも部分的に基づいてオフセットを適用するアクセスポイントオフセット指定器を備えることができる。装置は、現在のアクセスポイントに関してオフセット適用信号強度のランク付けに少なくとも部分的に基づいて１つまたは複数の周囲アクセスポイントとの通信を確立するセル再選択器をさらに備えることができる。
【００１４】
前述の目的および関連する目的の達成のために、１つまたは複数の実施形態は、下で十分に説明され、特に特許請求の範囲で指摘される特徴を備える。次の説明および添付図面は、その１つまたは複数の実施形態のある種の例示的態様を詳細に示す。ただし、これらの態様はさまざまな実施形態の原理を採用するさまざまな方法の少数のみを示しており、説明されている実施形態はこのような態様およびその等価物すべてを含むことを意図されている。
【図面の簡単な説明】
【００１５】
【図１】本明細書で説明されるさまざまな態様による無線通信システムを示す図。
【図２】セル再選択を容易にする無線通信システムを示す図。
【図３】無線通信環境内で使用するための例示的な通信装置を示す図。
【図４】セル再選択においてオフセットおよび／またはヒステリシス値の適用を行う例示的な無線通信システムを示す図。
【図５】無線ネットワーク内でセル再選択を実行することを容易にする例示的な方法を示す図。
【図６】再選択に対するランク付けにおいて潜在的なアクセスポイントへのオフセットの適用を行うのを容易にする例示的な方法を示す図。
【図７】再選択のためにヒステリシス値を選択して現在のアクセスポイントにヒステリシス値を適用することを容易にする例示的な方法を示す図。
【図８】セル再選択におけるランク付けのためオフセットおよび／または選択可能なヒステリシス値を適用することを容易にする例示的なモバイルデバイスを示す図。
【図９】本明細書で説明されているさまざまなシステムおよび方法とともに使用されうる例示的な無線ネットワーク環境を示す図。
【図１０】セル再選択において見込みアクセスポイント測定結果にオフセットを適用する例示的なシステムを示す図。
【発明を実施するための形態】
【００１６】
次に、さまざまな実施形態について、図面を参照しつつ説明するが、図面全体を通して、同様の符号は同様の要素を参照するのに使用される。以下の説明では、説明を目的として、１つまたは複数の実施形態を完全に理解できるように多数の具体的な詳細を示す。しかし、このような実施形態は、そうした具体的詳細を知らなくても実施できることは明白であると思われる。他の場合には、１つまたは複数の実施形態の説明を容易にするために、周知の構造およびデバイスを、ブロック図形式で示す。
【００１７】
本出願で使用されているように、「コンポーネント」、「モジュール」、「システム」、および同様の用語は、コンピュータ関連のエンティティ、つまりハードウェア、ファームウェア、ハードウェアとソフトウェアの組合せ、ソフトウェア、または実行中のソフトウェアのいずれかを指すことを意図されている。例えば、コンポーネントは、限定はしないが、プロセッサ上で動作するプロセス、プロセッサ、オブジェクト、実行可能ファイル、実行のスレッド、プログラム、および／またはコンピュータとすることができる。一例として、コンピューティングデバイスで動作するアプリケーションとそのコンピューティングデバイスとの両方を、コンポーネントとすることができる。１つまたは複数のコンポーネントが、１つのプロセスおよび／または実行のスレッド内に常駐することができ、１つのコンポーネントを、１つのコンピュータ上に局所化し、かつ／または複数のコンピュータの間で分散させることができる。それに加えて、これらのコンポーネントは、そこにさまざまなデータ構造を格納されたさまざまなコンピュータ可読媒体から実行することができる。コンポーネントは、１つまたは複数のデータパケットを有する信号（例えば、信号によって、ローカルシステム内の別のコンポーネント、分散システム、および／または他のシステムとのインターネットなどのネットワークにまたがって相互作用するあるコンポーネントからのデータ）によるなど、ローカルプロセスおよび／またはリモートプロセスによって通信することができる。
【００１８】
さらに、さまざまな実施形態を、本明細書で移動体デバイスに関連して説明する。モバイルデバイスは、システム、加入者ユニット、加入者ステーション、移動局、移動体、遠隔ステーション、遠隔端末、アクセス端末、ユーザ端末、端末、無線通信デバイス、ユーザエージェント、ユーザデバイス、またはユーザ機器（ＵＥ）と称されうる。モバイルデバイスは、携帯電話、コードレス電話機、セッションイニシエーションプロトコル（ＳＩＰ）電話機、無線ローカルループ（ＷＬＬ）ステーション、携帯情報端末（ＰＤＡ）、無線接続機能を有するハンドヘルドデバイス、コンピューティングデバイス、または無線モデムに接続された他の処理デバイスとすることができる。さらに、さまざまな実施形態を、本明細書で基地局に関連して説明する。基地局は、モバイルデバイス（１つまたは複数）と通信するのに利用することができ、また、アクセスポイント、Ｎｏｄｅ  Ｂ、ｅｖｏｌｖｅｄ  Ｎｏｄｅ  Ｂ（ｅＮｏｄｅ  ＢまたはｅＮＢ）、基地トランシーバ局（ＢＴＳ）と称されるか、または他の何らかの名称で称することもできる。
【００１９】
さらに、本明細書で説明されるさまざまな態様または特徴を、標準的なプログラミング技法および／または工学技法を使用して、方法、装置、または製造品として実施することができる。本明細書で使用されるような「製造品」という用語は、任意のコンピュータ可読デバイス、搬送波、または媒体からアクセス可能なコンピュータプログラムを包含することが意図されている。例えば、コンピュータ可読媒体としては、限定はしないが、磁気記憶デバイス（例えば、ハードディスク、フロッピディスク、磁気ストリップなど）、光ディスク（例えば、コンパクトディスク（ＣＤ）、デジタル多用途ディスク（ＤＶＤ）など）、スマートカード、およびフラッシュメモリデバイス（例えば、ＥＰＲＯＭ、カード、スティック、キードライブなど）が挙げられる。さらに、本明細書で説明するさまざまな記憶媒体は、情報を格納する１つまたは複数のデバイスおよび／あるいは他の機械可読媒体を表すことができる。「機械可読媒体」という用語は、限定はしないが、命令（１つまたは複数）および／またはデータを格納すること、含むこと、および／または搬送することのできる無線チャネルおよびさまざまな他の媒体を含むことができる。
【００２０】
本明細書で説明されている技術は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数領域多重化（ＳＣ−ＦＤＭＡ）、および他のシステムなどのさまざまな無線通信システムに使用することができる。用語「システム」、「網」、および「ネットワーク」は、しばしば交換可能に使用される。符号分割多元接続システムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００、その他などの無線テクノロジを実施することができる。ＵＴＲＡは、Ｗｉｄｅｂａｎｄ−ＣＤＭＡ（Ｗ−ＣＤＭＡ）およびＣＤＭＡの他の変更形態を含む。ＣＤＭＡ２０００は、ＩＳ−２０００標準規格、ＩＳ−９５標準規格、およびＩＳ−８５６標準規格を包含する。時分割多元接続システムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線テクノロジを実施することができる。直交周波数分割多元接続システムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ、などの無線テクノロジを実施することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、Ｅ−ＵＴＲＡを使用する来るリリースであり、Ｅ−ＵＴＲＡは、ダウンリンクでＯＦＤＭＡ、アップリンクでＳＣ−ＦＤＭＡを使用する。ＵＴＲＡ、Ｅ−ＵＴＲＡ、ＵＭＴＳ、ＬＴＥ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名前の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名前の組織からの文書に記載されている。
【００２１】
そこで図１を参照すると、本明細書で提示されるさまざまな実施形態による無線通信システム１００が示されている。システム１００は、複数のアンテナグループを含むことができる基地局１０２を備える。例えば、１つのアンテナグループは、アンテナ１０４および１０６を含むことができ、別のグループは、アンテナ１０８および１１０を備えることができ、追加のグループは、アンテナ１１２および１１４を含むことができる。２つのアンテナが、アンテナグループ毎に図示されているが、より多数またはより少数のアンテナを、グループ毎に利用することができる。基地局１０２は、さらに、送信機チェーンおよび受信機チェーンを含むことができ、送信機チェーンおよび受信機チェーンのそれぞれは、当業者によって了解されるように、信号の送信および受信に関連する複数のコンポーネント（例えば、プロセッサ、変調器、多重化装置、復調器、多重分離装置、アンテナなど）を備えることができる。
【００２２】
基地局１０２は、モバイルデバイス１１６およびモバイルデバイス１２６などの１つまたは複数のモバイルデバイスと通信することができるが、基地局１０２が、モバイルデバイス１１６および１２６に類似する実質的に任意の個数のモバイルデバイスと通信できることは理解されるであろう。モバイルデバイス１１６および１２６は、例えば、携帯電話、スマートホン、ラップトップ機、ハンドヘルド通信デバイス、ハンドヘルドコンピューティングデバイス、衛星ラジオ、全地球測位システム、ＰＤＡ、および／または無線通信システム１００を介して通信する任意の他の適切なデバイスとすることができる。図に示されているように、モバイルデバイス１１６は、アンテナ１１２および１１４と通信状態にあり、アンテナ１１２および１１４は、順方向リンク１１８上でモバイルデバイス１１６に情報を送信し、逆方向リンク１２０上でモバイルデバイス１１６から情報を受信する。周波数分割複信（ＦＤＤ）システムでは、例えば、順方向リンク１１８は、逆方向リンク１２０によって使用される周波数と異なる周波数を使用することができる。さらに、時分割複信（ＴＤＤ）システムでは、順方向リンク１１８および逆方向リンク１２０は、共通の周波数を使用することができる。
【００２３】
アンテナのそれぞれのグループおよび／またはそれらが通信するように指定されたエリアを、基地局１０２のセクタまたはセルと呼ぶことができる。例えば、アンテナグループは、基地局１０２によってカバーされるエリアの１つのセクタ内にあるモバイルデバイスと通信するように設計されうる。順方向リンク１１８を介する通信では、基地局１０２の送信アンテナは、モバイルデバイス１１６の順方向リンク１１８の信号対雑音比を改善するのにビームフォーミングを利用することができる。また、基地局１０２は、関連するカバレージを介してランダムに散在するモバイルデバイス１１６に送信するのにビームフォーミングを利用するが、隣接セル内のモバイルデバイスは、単一のアンテナを介してすべてのモバイルデバイスに送信する基地局と比較して、より少ない干渉を受ける可能性がある。さらに、モバイルデバイス１１６および１２６は、ピアツーピアまたはアドホック技術を使用して互いに直接通信することができる。
【００２４】
それに加えて、基地局１０２は、バックホールリンク接続を介して、無線サービスアクセスネットワーク（例えば、３Ｇネットワーク）を含む１つまたは複数のネットワークであってもよい、ネットワーク１２２と通信することができる。ネットワーク１２２は、モバイルデバイス１１６および１２６に関係するアクセスパラメータおよびサービスをデバイス１１６および１２６に提供するための無線アクセスネットワークの他のパラメータに関する情報を格納することができる。さらに、フェムトセル１２４は、順方向リンク１２８および逆方向リンク１３０（上述のように、順方向リンク１１８および逆方向リンク１２０と同様）上でモバイルデバイス１２６との通信を容易にするために備えることができる。フェムトセル１２４は、基地局１０２とほぼ同じであるが、ただしスケールが小さい、１つまたは複数のモバイルデバイス１２６へのアクセスを提供することができる。一例では、フェムトセル１２４は、住宅、企業、および／または他の近距離設定（例えば、テーマパーク、スタジアム、共同住宅など）内に構成されうる。フェムトセル１２４は、一例では、ブロードバンドインターネット接続（Ｔ１／Ｔ３、デジタル加入者回線（ＤＳＬ）、ケーブルなど）を経由することができる、バックホールリンク接続を使用してネットワーク１２２に接続することができる。ネットワーク１２２は、同様に、モバイルデバイス１２６のアクセス情報を提供することができる。
【００２５】
一例によれば、モバイルデバイス１１６および１２６は、異なる基地局間でおよび／または移動中のフェムトセル間でセル再選択を実行するサービスエリア上を移動することができる。この点で、モバイルデバイス１１６および１２６は、モバイルデバイス１１６および１２６のユーザに連続的な無線サービスをシームレスに提供することができる。一例（図示されていない）では、モバイルデバイス１２６は、モバイルデバイス１１６と同様に基地局１０２と通信している可能性があり、フェムトセル１２４の指定された範囲内に移動している可能性がある。この点で、モバイルデバイス１２６は、より望ましい無線サービスアクセスを受けるためにフェムトセル１２４に関係する１つまたは複数のセルを再選択している場合がある。一例では、フェムトセル１２４は、より望ましい課金および／または他のアクセスオプションを提供するモバイルデバイス１２６に対するホームアクセスポイントとなりうる。他の例では、フェムトセル１２４は、各企業または現場に合わせて手直しされたオプションまたはデータを提供する企業または現場に関係しうる。したがって、モバイルデバイス１２６は、そのような手直しされたオプションを受け取るために、アイドルおよび／または接続モードで、フェムトセル１２４に関係する１つまたは複数のセルを再選択することができる。それに加えて、モバイルデバイス１２６は、基地局１０２の方へ移動するとともに、さまざまな理由からそれに関係するセルを再選択することができる（例えば、フェムトセル１２４に対する干渉を緩和するため、より最適な信号もしくはスループット向上を受けるため、など）。
【００２６】
サービスエリア上で移動中、モバイルデバイス１１６および／または１２６は、利用可能な基地局（基地局１０２など）、フェムトセル（フェムトセル１２４など）、および／または他のアクセスポイントを連続的に測定して、セル再選択がモバイルデバイス１１６および／または１２６にとっていつ都合がよいかを判定することができる。測定は、例えば、信号品質、スループット、利用可能なサービス、アクセスポイントに関係する無線アクセスプロバイダ、および／または同様のものを評価することを含むことができる。測定結果の１つまたは複数に基づき、モバイルデバイス１１６および／または１２６は、再選択のためにアクセスポイントのランク付けを行うことができる。順序付けを決定した後、モバイルデバイス１１６および／または１２６は、最高ランクのアクセスポイントでセル再選択を試みることができる。それに加えて、モバイルデバイス１１６および／または１２６は、アクセス可能なアクセスポイントおよび／またはアクセス可能なアクセスポイントのグループのリストを維持することができる。アクセス可能なアクセスポイントは、例えば、モバイルデバイス１１６および／または１２６がアクセスを許可されている、および／またはアクセスが他のアクセスポイントより好ましいか、または他の何らかの形で有利であるとされる制限付き関連アクセスポイントに関係するものとすることができる。
【００２７】
一例では、フェムトセル１２４は、そのような制限付き関連アクセスポイントとすることができる。制限付き関連アクセスポイントは、例えば、それぞれのアクセスポイントがいくつかのサービスをいくつかのモバイルデバイス（例えば、モバイルデバイス１１６および／または１２６）に提供するが、必ずしも他のモバイルデバイスまたはアクセス端末（図示されていない）には提供しないいくつかの態様において制限されうる。例えば、フェムトセル１２４は、他のモバイルデバイスまたはアクセス端末に、登録、信号伝達、音声電話、データアクセス、および／または追加サービスを提供しないように制限されうる。制限付き関連アクセスポイントは、アドホック方式で展開されうる。例えば、所定の自宅所有者が、自宅用に制限付きアクセスポイントを設置し、構成することができる。
【００２８】
一例では、モバイルデバイス１１６および／または１２６は、アクセスポイント（１つまたは複数）に関係するブロードキャスト信号内の１つまたは複数のインジケータに少なくとも部分的に基づいて１つまたは複数の利用可能なアクセスポイントを識別することができる。１つまたは複数のインジケータを受信した後、モバイルデバイス１１６および／または１２６は、アクセスポイント（１つまたは複数）がリスト内にあること、または関係するグループ識別子がリスト内にあることを確認してから、セル再選択を試みることができる。他の例では、モバイルデバイス１１６および／または１２６は、ランク付けのためにパラメータを測定する前にそのリストとアクセスポイントとの関連付けを検証することができる。
【００２９】
基地局１０２および／またはフェムトセル１２４などのアクセスポイントを測定する際に、モバイルデバイス１１６および／または１２６は、それらのアクセスポイントのうちの１つまたは複数を優先しうる。説明されているように、フェムトセル１２４は、モバイルデバイス１２６に対するホームアクセスポイントであることができ、したがって、モバイルデバイス１２６は、他のアクセスポイントよりフェムトセル１２４を優先しうる。例えば、モバイルデバイス１２６は、セル再選択において周囲アクセスポイントを測定する際に、ヒステリシス値をフェムトセル１２４の測定結果に適用し、これにより、フェムトセル１２４は、ヒステリシス値を適用しなかった場合のアクセスポイントに比べてより高いランク付けがされうる。このため、モバイルデバイス１２６に対するフェムトセル１２４のサービスエリアが効果的に拡大される。それに加えて、図示されていないけれども、モバイルデバイス１２６が基地局１０２などの異なるアクセスポイントと通信している場合に、モバイルデバイス１２６がフェムトセル１２４の範囲内で移動するときに、基地局１０２の測定結果と比較するときにフェムトセル１２４の測定結果にオフセットを適用して、基地局１０２よりもフェムトセル１２４が優先されるようにできる。このため、モバイルデバイス１２６内で制御されるモバイルデバイス１２６に関するフェムトセル１２４のカバレッジが効果的に拡大される。
【００３０】
この点で、モバイルデバイス１２６は、オフセットを使用して近接したときにフェムトセル１２４との通信を確立することができ、接続された後、ヒステリシス値を使用して通常よりも長い距離にわたってフェムトセル１２４との通信を存続させることができ、例えば、フェムトセル１２４からの望ましいサービスを受け取るために時間を延長し、エリアを拡大することができる。それに加えて、モバイルデバイス１２６は、アクティブ通信モードでフェムトセル１２４への再選択を実行し、それとのサービスを継続することができる。さらに、モバイルデバイス１２６は、アイドルモードで再選択を実行しフェムトセル１２４にキャンプオンすることができる。キャンピングは、モバイルデバイスがスリープ状態に入り、定期的に目覚めて、アイドルモードからアクティブモードへの切り換えを生じうるページ、信号喪失、隣接セクタの測定結果などのイベントを受信するセクタ内のアイドルモードにおける動作を指すものとすることができる。
【００３１】
次に、図２を参照すると、多数のモバイルデバイスをサポートするように構成されている無線通信システム２００が例示されている。システム２００は、例えば、マクロセル２０２Ａ〜２０２Ｇなどの複数のセルに対し通信を提供し、それぞれのセルは対応するアクセスポイント２０４Ａ〜２０４Ｇによるサービスを受ける。すでに説明されているように、例えば、マクロセル２０２Ａ〜２０２Ｇに関係するアクセスポイント２０４Ａ〜２０４Ｇは、基地局とすることができる。モバイルデバイス２０６Ａ〜２０６Ｉは、無線通信システム２００全体におけるさまざまな場所に分散されているように示されている。それぞれのモバイルデバイス２０６Ａ〜２０６Ｉは、説明されているように、順方向リンクおよび／または逆方向リンク上で１つまたは複数のアクセスポイント２０４Ａ〜２０４Ｇと通信することができる。それに加えて、アクセスポイント２０８Ａ〜２０８Ｃも示されている。これらは、フェムトセルなどの、スケールの小さなアクセスポイントとすることができ、説明されているように、特定のサービスロケーションに関係するサービスを提供する。モバイルデバイス２０６Ａ〜２０６Ｉは、それに加えて、提供されるサービスを受け取るためにこれらのスケールの小さなアクセスポイント２０８Ａから２０８Ｃと通信することができる。無線通信システム２００は、一例では広い地理的領域でサービスを提供することができる（例えば、マクロセル２０２Ａ〜２０２Ｇは、近隣の数ブロックをカバーすることができ、フェムトセルアクセスポイント２０８Ａ〜２０８Ｃは、住宅地、オフィスビル、および／または説明されているような同様のものなどの領域内に存在することができる）。一例では、モバイルデバイス２０６Ａ〜２０６Ｉは、放送で、および／またはバックホール接続で、アクセスポイント２０４Ａ〜２０４Ｇおよび／または２０８Ａ〜２０８Ｃとの接続を確立することができる。
【００３２】
それに加えて、図示されているように、モバイルデバイス２０６Ａ〜２０６Ｉは、システム２００全域を移動することができ、また異なるマクロセル２０２Ａ〜２０２Ｇまたはフェムトセルカバレージエリアを通るときにさまざまなアクセスポイント２０４Ａ〜２０４Ｇおよび／または２０８Ａ〜２０８Ｃに関係するセルを再選択することができる。一例では、モバイルデバイス２０６Ａ〜２０６Ｉのうちの１つまたは複数のモバイルデバイスは、フェムトセルアクセスポイント２０８Ａ〜２０８Ｃのうちの少なくとも１つに関係するホームフェムトセルに関連付けられうる。例えば、モバイルデバイス２０６Ｉは、ホームフェムトセルとしてフェムトセルアクセスポイント２０８Ｂに関連付けられうる。したがって、モバイルデバイス２０６Ｉはマクロセル２０２ｂ内にあり、したがってアクセスポイント２０４Ｂのカバレージエリア内にあるけれども、これは、アクセスポイント２０４Ｂの代わりに（またはそれに加えて）フェムトセルアクセスポイント２０８Ｂと通信することができる。一例では、フェムトセルアクセスポイント２０８Ｂは、望ましい課金または料金、分単位使用量、高度サービス（例えば、より高速なブロードバンドアクセス、メディアサービスなど）などの付加的サービスをモバイルデバイス２０６Ｉに提供することができる。したがって、モバイルデバイス２０６Ｉが、フェムトセルアクセスポイント２０８Ｂの範囲内にある場合、これは、再選択においてフェムトセルアクセスポイント２０８Ｂを優先することによってそれと通信するように制御されうる。
【００３３】
例えば、モバイルデバイス２０６Ｄは、フェムトセルアクセスポイント２０８Ｃに関連付けられうる。モバイルデバイス２０６Ｄが、マクロセル２０２Ｃから２０２Ｄへ移動し、アクセスポイント２０４Ｄおよび／または２０８Ｃに近づくにつれ、これは、本明細書で説明されているように、セル再選択プロセスを開始することができる。これは、例えば、望ましい接続を決定するために周囲セルパラメータ（例えば、アクセスポイント２０４Ｃ、２０４Ｄ、および２０８Ｃに関係する）を測定することを含むことができる。これらのパラメータは、例えば、信号品質、接続スループット、提供されるサービス、アクセスポイントに関係するサービスプロバイダ、および／または同様のものに関係するものとすることができる。モバイルデバイス２０６Ｄは、それに加えて、説明されているように、アクセス可能なアクセスポイントのリスト内に載っているとおりであるかアクセスポイントの識別子を検証することができる。このリストは、それに加えて、または代替として、アクセスポイントのグループ識別子をリスト内のグループ識別子で検証できるアクセスポイントのグループを識別することができる。前記の例では、モバイルデバイス２０６Ｄは、アクセスポイント２０４Ｃ、２０４Ｄ、および２０８Ｃに対するパラメータを測定して、セルのランク付けを行い、アクセスポイント２０４Ｃから他のアクセスポイントのうちの１つへのセル再選択を、そのランクが高い場合に実行するかどうかを決定することができる。前の例と同様に、フェムトセルアクセスポイント２０８Ｃが、モバイルデバイス２０６Ｄのホームフェムトセルに関係する場合、これは、それを再選択のために優先することができる。例えば、モバイルデバイス２０６Ｄは、範囲内で移動するときにフェムトセルアクセスポイント２０８Ｃの測定されたパラメータにオフセットを加えて、アクセスポイント２０４Ｃよりフェムトセルアクセスポイント２０８Ｃを優先するようにできる。それに加えて、フェムトセルアクセスポイント２０８Ｃとの通信の後、モバイルデバイス２０６Ｄは、再選択のため他のアクセスポイントの通信パラメータを測定する際にヒステリシスを適用して、その点でも同様にフェムトセルアクセスポイント２０８Ｃを優先するようにできる。異なるアクセスポイント２０４Ｄおよび／または２０８Ｃのうちの１つまたは複数が、アクセスポイント２０４Ｃよりランクが上である場合、モバイルデバイス２０６Ｄは、アイドルモードであるか、または接続モードであるかに関係なく、異なるアクセスポイント２０４Ｄまたは２０８Ｃに関係する１つまたは複数のセルを再選択することができる。
【００３４】
一例では、異なるアクセスポイント２０４Ｄおよび／または２０８Ｃのうちの１つまたは複数は、一部のモバイルデバイスでは接続できない制限付き関連付けを実行することができ、および／またはアクセスポイント２０４Ｄおよび／または２０８Ｃは、信号伝達、データアクセス、登録、サービス、および／または同様のことを提供することに関していくつかのモバイルデバイスを制限することができる。これは、例えば、モバイルデバイスのサービスプロバイダおよび制限付き関連アクセスポイントに少なくとも一部は基づくものとすることができる。他の例では、制限付き関連アクセスポイントは、アクセスを企業発行モバイルデバイスにのみ制限する企業アクセスポイントなどのいくつかのモバイルデバイスに関係するものとすることができる。したがって、モバイルデバイス２０６Ｄが、制限付き関連付けがあるため異なるアクセスポイント２０４Ｄおよび／または２０８Ｃのうちの１つまたは複数に関係するセルを再選択することができない場合、これは、接続先にできるアクセスポイントが見つかるまで他のランク付けされたアクセスポイントのうちの１つまたは複数でセル再選択を試みることができる。モバイルデバイス２０６Ｄが、関連付けが制限されているためアクセスポイント２０４Ｄおよび／または２０８Ｃに接続できない場合、これは、制限の理由を示す制限コードを受信することができる。
【００３５】
さらに、説明されているように、モバイルデバイス２０６Ａ〜２０６Ｉは、アクセス可能なアクセスポイントおよび／またはそのグループのリストを維持することができる。一例では、このリストには、他の種別のアクセスポイント（マクロセルなど）は実質的にどのようなモバイルデバイスからでもアクセス可能であるため、特定のいくつかの種別のアクセスポイント（フェムトセルなど）しか含めることができない。アクセス可能なアクセスポイントおよび／またはグループのリストは、最初は、例えば、説明されているように、基礎となる無線ネットワークから情報を取り出すことができる、モバイルデバイス２０６Ａ〜２０６Ｉと通信している１つまたは複数のアクセスポイントで埋められているものとすることができる。モバイルデバイス２０６Ａ〜２０６Ｉが、無線システム２００のカバレージエリア全域を移動し、説明されているようにセルを再選択すると、これは、最初に、セルを関連するリスト内に存在しているものとして検証することができる。一例では、モバイルデバイス２０６Ａ〜２０６Ｉが、説明されているように測定結果に基づいて１つまたは複数のフェムトセルアクセスポイント２０８Ａ〜２０８Ｃが最高ランクのセルであると判定した場合、これは、各フェムトセルアクセスポイントがリストに載っていることを検証できる。そうでない場合、モバイルデバイス２０６Ａ〜２０６Ｉは、フェムトセルアクセスポイントへのアクセスを試みないことを決定することができ、また次に高いランクのアクセスポイントと接続を試み、および／または異なる頻度で他のアクセスポイントを特定することを試みることができる。説明されているように、ランク付けは、範囲内にあるときに、またはアクセスポイントに接続されているときにそれぞれアクセスポイントを優先するように、オフセットおよび／またはヒステリシス値による影響を受けうる。
【００３６】
図３を参照すると、無線通信環境内で使用するための通信装置３００が示されている。通信装置３００は、基地局またはその一部、モバイルデバイスまたはその一部、または無線通信環境において送信されたデータを受信する実質的に任意の通信装置とすることができる。通信装置３００は、信号強度、データスループット、提供されるサービスなどのセクタに関係する通信パラメータを測定し、セクタまたは関係するアクセスポイントを再選択するかどうかを決定するセクタパラメータ測定器３０２を備えることができる。通信装置３００は、それに加えて、セクタ通信パラメータを測定するときにアクセスポイントを優先するように１つまたは複数の通信パラメータ測定結果にオフセットを適用することができる優先アクセスポイントオフセット指定器３０４、さらには、セル再選択においてアクセスポイントを追加的に優先するように優先アクセスポイントに関係する通信パラメータにヒステリシス値を追加することができる優先アクセスポイントヒステリシス指定器３０６を備えることができる。一例では、優先アクセスポイントは、有利なアクセスポイントおよび／またはグループの維持されているリスト（ＣＳＧ（Ｃｌｏｓｅｄ  Ｓｕｂｓｃｒｉｂｅｒ  Ｇｒｏｕｐ  Ｌｉｓｔ）など）内の１つまたは複数のアクセスポイントに関係しうる。
【００３７】
一例によれば、セクタパラメータ測定器３０２は、セル再選択に関してセクタを評価するためにセクタとの通信に関係する１つまたは複数のパラメータを測定することができる。上述のように、セクタは、パラメータに応じて再選択に対しランク付することができる。優先アクセスポイントオフセット指定器３０４は、パラメータにオフセット値を追加することによって周囲優先アクセスポイントに関係するパラメータにプラスの影響を及ぼしうる。これは、いくつかの場合において、再選択に関して優先アクセスポイントのランク付けにプラスの影響を及ぼしうる。それに加えて、優先アクセスポイントオフセット指定器３０４は、一例において、非優先周囲アクセスポイントに負のオフセットを適用して、場合によっては、セル再選択におけるランク付けを効果的に下げることができる。それに加えて、またはその代わりに、優先アクセスポイントヒステリシス指定器３０６は、現在のアクセスポイントのパラメータにヒステリシス値を追加することができ、現在のアクセスポイントに関係する頻繁な再選択を緩和するためにそのランク付けにプラスの影響を及ぼすことができる。優先アクセスポイントヒステリシス指定器３０６は、それに加えて、現在のアクセスポイントが優先（または他の何らかの形で有利）であるかどうかに関係するヒステリシス値を選択することができる。現在接続されている優先アクセスポイントに対しより高いヒステリシス値を選択することによって、優先アクセスポイントのカバレッジが、通信装置３００用に効果的に拡大される。
【００３８】
一例では、セル再選択は、Ｒｎ＞Ｒｓのときに実行することができ、Ｒｎは新しいセルのランクであり、Ｒｓは現在のセルランクである。したがって、一例では、再選択は、Ｑｍｅａｓ，ｎ−Ｑｏｆｆｓｅｔ，ＣＳＧ＞Ｑｍｅａｓ，ｅＮＢ＋Ｑｈｙｓｔ（ｅＮＢ）またはＱｍｅａｓ，ｎ＞Ｑｍｅａｓ，ｅＮＢ＋Ｑｈｙｓｔ（ｅＮＢ）＋Ｑｏｆｆｓｅｔ，ＣＳＧのときに行うことができ、ここで、Ｑｍｅａｓ，ｎは、周囲アクセスポイントの測定結果（説明されているように信号強度および／または１つまたは複数の追加パラメータなど）であり、Ｑｏｆｆｓｅｔ，ＣＳＧは、周囲アクセスポイントに関係するオフセットであり、周囲アクセスポイントが優先され、および／または優先アクセスポイントの関係グループ内にあり、Ｑｍｅａｓ，ｅＮＢは、通信装置３００が現在接続されているアクセスポイントの測定結果であり、これは現在のアクセスポイントとともに使用される同じ測定パラメータであってもよく、Ｑｈｙｓｔ（ｅＮＢ）は、現在のアクセスポイントに関係するヒステリシス値である。アクセスポイント間の短時間内の頻繁な再選択（例えば、ピンポン効果）を防ぐために、セル再選択ランク付けでは、現在の非優先アクセスポイントに関係するこのヒステリシス値を考慮できることは理解されるであろう。説明されているように、セクタパラメータ測定器３０２は、Ｑｍｅａｓ，ｎおよびＱｍｅａｓ，ｅＮＢを測定することができ、優先アクセスポイントオフセット指定器３０４は、Ｑｏｆｆｓｅｔ，ＣＳＧを決定し、および／または適用することができる。したがって、上記の式が満たされる場合、現在のアクセスポイントから優先アクセスポイントへのセル再選択が実行されうる。負であってもよい、Ｑｏｆｆｓｅｔ，ＣＳＧ値を使用し、負の値が測定パラメータから差し引かれ、優先アクセスポイントの測定結果にプラスの影響を及ぼすので、通信装置はそのアクセスポイントを優先することができる。他の例では、周囲アクセスポイントが優先アクセスポイントでない場合に、プラスのオフセットを測定値から差し引くことができる。
【００３９】
同様に、現在のセルが優先アクセスポイントである場合、以下の式が満たされる場合に周囲非優先アクセスポイントに対して再選択が実行されうる。
【００４０】
式、Ｑｍｅａｓ，ｎ−Ｑｏｆｆｓｅｔ，ｎ（ｅＮＢ）＞Ｑｍｅａｓ，ＨｅＮＢ＋Ｑｈｙｓｔ（ＨｅＮＢ）またはＱｍｅａｓ，ｎ＞Ｑｍｅａｓ，ＨｅＮＢ＋Ｑｈｙｓｔ（ＨｅＮＢ）＋Ｑｏｆｆｓｅｔ，ｎであり、ここで、Ｑｍｅａｓ，ｎは、周囲非優先アクセスポイントの測定結果（説明されているように信号強度および／または１つまたは複数の追加パラメータなど）であり、Ｑｏｆｆｓｅｔ，ｎ（ｅＮＢ）は、非優先アクセスポイントに関係するオフセットであり、Ｑｍｅａｓ，ＨｅＮＢは、通信装置３００が現在接続されている現在の優先アクセスポイントの測定結果であり、これは非優先アクセスポイントとともに使用される同じ測定パラメータであってもよく、Ｑｈｙｓｔ（ＨｅＮＢ）は、現在のアクセスポイントに関係するヒステリシス値である。一例では、説明されているように、セクタパラメータ測定器３０２は、Ｑｍｅａｓ，ｎおよびＱｍｅａｓ，ＨｅＮＢを測定することができる。さらに、優先アクセスポイントヒステリシス指定器３０６は、現在接続されているアクセスポイントが優先アクセスポイントであるかそうでないかに基づいてヒステリシス値Ｑｈｙｓｔ（ＨｅＮＢ）を選択して、供給することができる。したがって、ヒステリシス値は、現在のアクセスポイントの種別に少なくとも部分的に基づいて変化しうる。この点で、通信装置３００は、異なるヒステリシス値を使用して、優先アクセスポイントにキャンプオンした状態を維持し、および／または長時間にわたって、および／または拡大サービスエリアにわたって通信状態を維持することができる。
【００４１】
次に、図４を参照すると、無線通信ネットワーク内でアクセスポイントを優先することを容易にする無線通信システム４００が例示されている。無線デバイス４０２、アクセスポイント４０４、および／または優先アクセスポイント４０６は、基地局、フェムトセル、モバイルデバイス、またはそれらの一部とすることができる。一例では、無線デバイス４０２は、逆方向リンクまたはアップリンクチャネルでアクセスポイント４０４および／または４０６に情報を送信することができ、他の無線デバイス４０２は、順方向リンクまたはダウンリンクチャネルでアクセスポイント４０４および／または４０６から情報を受信することができる。さらに、システム４００は、ＭＩＭＯシステムとすることができる。また、無線デバイス４０２に含まれる図に示され、以下で説明されるコンポーネントおよび機能は、一例では、アクセスポイント４０４および／または４０６にも同様に存在し、またその逆もありえ、ただし、図に示されている構成では、説明を簡単にするためにこれらのコンポーネントを省いている。
【００４２】
無線デバイス４０２は、セル再選択または初期通信プロセスの一部としてセクタに関係する１つまたは複数の通信パラメータを測定することができるセクタパラメータ測定器４０８、再選択に関して優先アクセスポイントの望ましさを高めるために現在接続されている非優先アクセスポイントに関係する測定結果に影響を及ぼすために使用できるオフセットを決定することができるアクセスポイントオフセット指定器４１０、再選択に関して異なるアクセスポイントを考慮するときにその望ましさを高めるために優先アクセスポイントの測定結果にプラスの影響を及ぼすために優先アクセスポイントと接続されたときに使用されうるヒステリシス値を決定するアクセスポイントヒステリシス指定器４１２、アクセス可能なアクセスポイントおよび／またはアクセスポイントのグループのリストを維持するアクセスリスト制御器、ならびに測定結果および適用されるオフセットに少なくとも部分的に基づいて再選択を実行することができるセル再選択器４１６を備える。維持されるリストは、それに加えて、例えば、アクセスポイントがフェムトセルであるか、マクロセルであるか、制限付き関連付け（説明されているように、サービス、信号伝達、データアクセス、登録、サービス、および／または同様のものに関して）であるか、非制限付き関連付けであるか、ＣＳＧであるか、および／または同様のものであるかを示すことができるアクセスポイントの種別を備えることができる。
【００４３】
一例によれば、無線デバイス４０２は、無線通信サービスを受けるために、非優先アクセスポイントである場合がある、アクセスポイント４０４と通信することができる。無線デバイス４０２が、サービスエリア上を移動するときに、これは、優先アクセスポイント４０６などの他のアクセスポイントの近くに来る場合がある。セクタパラメータ測定器４０８は、説明されているように、信号強度、データスループット、提供されるサービス、課金率、サービスプロバイダなどの、アクセスポイント４０６、またはそのセクタ、さらには他の周囲アクセスポイントならびに通信に使用される現在のアクセスポイント４０４に関係する通信パラメータを決定することができる。一例では、セクタパラメータ測定器４０８は、現在のアクセスポイント４０４から離れるようにチューニングして、アクセスポイント４０６のパラメータを評価することができるか、これは、現在のアクセスポイント４０４と通信するために必要な周波数から優先アクセスポイント４０６の周波数にチューニングし、それに関係するパラメータを簡単に測定できるようにすることを意味する。優先アクセスポイント４０６がアクセスポイントのリスト（または例えば、関係するグループのリスト）に含まれるかどうかを判定するために、アクセスリスト制御器４１４に問い合わせることができる。リストは、上述のように、アクセス可能なアクセスポイント、制限付き関連付けアクセスポイント、関係するグループ、および／または同様のものに関係しうる。
【００４４】
優先アクセスポイント４０６がリスト内にある場合、アクセスポイントオフセット指定器４１０は、優先アクセスポイント４０６に関係する測定結果に適用可能なオフセットを提供し、オフセットなしの場合に比べてより望ましいものにすることができる。この結果、優先アクセスポイント４０６との早期の接続が可能になり、上述のように、望ましいサービスを受けられる。それに加えて、例えば、優先アクセスポイント４０６がリスト内にない場合、マイナスのオフセットを適用することができる。ヒステリシスを、現在接続されているアクセスポイント４０４の測定結果にも適用することができ、これにより、アクセスポイント間で短時間のうちに頻繁な再選択を繰り返すのを防ぐことができ、したがって、いずれかのアクセスポイントの測定結果がわずかに変化する場合には、適用されるヒステリシス値がセル測定結果に含まれる差異が大きくなるまで再選択を緩和することができることは理解されるであろう。優先アクセスポイント４０６が、オフセットが適用された状態で、現在のアクセスポイント４０４より高いランクである場合（例えば、ヒステリシスが適用されている）、セル再選択器は、優先アクセスポイント４０６のセクタに再選択を実行することができる。
【００４５】
他の例では、優先アクセスポイント４０６は、優先アクセスポイント４０６に対する複数のヒステリシス値を決定することができるヒステリシス値指定器４１８を備えることができる。例えば、優先アクセスポイント４０６が、実際に、優先アクセスポイントとなる、無線デバイスに対しては１つの値を決定し、優先アクセスポイント４０６が、優先アクセスポイントとならない、デバイスに対しては別の値を決定することができる。一例によれば、無線デバイス４０２は、そこから無線通信サービスを受ける優先アクセスポイント４０６に接続することができる。無線デバイス４０２が、モバイルサービスエリア全域にわたって移動すると、セクタパラメータ測定器４０８は、上述のように、さまざまなセクタの通信パラメータを測定して、セル再選択のためセクタをランク付けすることができる。無線デバイス４０２が、優先アクセスポイント４０６と通信しているときに、一例では、アクセスポイントオフセット指定器４１０からのオフセットを使用する必要はない。しかしながら、アクセスポイントヒステリシス指定器４１２は、優先アクセスポイント４０６に関係するヒステリシスを決定し、他のアクセスポイントのうちで現在接続されている優先アクセスポイント４０６をランク付けする際にそのヒステリシスを適用し、再選択を実行すべきかどうかを決定することができる。
【００４６】
説明されているように、１つまたは複数のヒステリシス値は、ヒステリシス値指定器４１８によって指定することができ、これは、優先アクセスポイント４０６との接続の後に無線デバイス４０２に送信されうる。他の例では、これらの値は、他の周囲またはすでに接続されているアクセスポイントから、または他の何らかの方法で受信することができる。アクセスポイントオフセット指定器４１４は、同様に、現在のアクセスポイント、周囲アクセスポイント、および／または１つまたは複数のすでに接続されているアクセスポイントからオフセットを受信することができることは理解されるであろう。アクセスポイントヒステリシス指定器４１２は、アクセスポイント４０４を含む、他のアクセスポイントのうちで優先アクセスポイント４０６をランク付けする際に使用する受信されたヒステリシス値を選択することができる。一例では、アクセスリスト制御器は、優先アクセスポイント４０６が、アクセスリスト制御器４１４によって維持されている優先アクセスポイントのリスト内にあるかどうかを判定することができる。したがって、優先アクセスポイント４０６がリスト内にある場合、優先アクセスポイントヒステリシス値は、アクセスポイントヒステリシス指定器４１２によって選択され、これにより、現在のセルパラメータにプラスの影響を及ぼし、これにより、さらに広いサービスエリア内で無線デバイス４０２が優先アクセスポイント４０６との接続状態を保つようにできる。しかし、優先アクセスポイント４０６がリスト内にない場合、アクセスポイントヒステリシス指定器４１２は、より低いヒステリシス値を選択し、現在のセル測定結果にプラスの影響を及ぼし、アクセスポイント間のピンポン効果を防ぐことができる。アクセスポイント４０４が、優先アクセスポイント４０６の測定結果にプラスの影響を及ぼすように１つまたは複数のヒステリシス値が適用されて優先アクセスポイント４０６より高いランクである場合、セル再選択器４１６は、アクセスポイント４０４に関係する１つまたは複数のセルを再選択することができる。
【００４７】
いずれの場合も、セル再選択のため優先アクセスポイントをランク付けする際にオフセットを使用するとか、または異なるアクセスポイントへのセル再選択のため優先アクセスポイントをランク付けする際により高いヒステリシスを使用することで、無線デバイス４０２によって望まれている場合に優先アクセスポイントのカバレッジを拡大する。これにより、無線デバイス４０２は、より広いサービスエリアに対して、すでに説明されているように、優先アクセスポイントの望ましいサービスを受けることができる。セル再選択器は、再選択について選択されたアクセスポイントが利用可能でない場合に異なるアクセスポイント（図示されていない）に関係する１つまたは複数のセルを再選択することができることは理解されるであろう。例えば、異なるアクセスポイントが、現在接続されているアクセスポイントおよび／または最初に再選択されたアクセスポイントと異なる周波数範囲内にあってもよい。
【００４８】
図５〜７を参照すると、セル再選択およびオフセットおよび／またはヒステリシス値を使用して再選択するためにアクセスポイントをランク付けすることに関係する方法が示されている。説明を簡単にするために、方法が図に示され、一連の活動として記述されているが、方法は、活動の順序によって制限されるわけではなく、いくつかの活動は、１つまたは複数の実施形態により、図に示され、本明細書で説明しているのと異なる順序で、および／または他の活動と同時に実行されうることが理解され、認識されるであろう。例えば、当業者であれば、代替として方法を一連の相互に関連のある状態またはイベントとして状態図などの中に表されることが可能であることを理解し、了解するであろう。さらに、１つまたは複数の実施形態による方法を実施するために、例示されているすべての活動が必要なわけではない。
【００４９】
図５を参照すると、無線通信におけるセル再選択を容易にする方法５００が、示されている。５０２では、周囲セルが、それらに関係する１つまたは複数のパラメータを決定するために測定される。説明されているように、パラメータは、信号強度、スループットなどの通信計量、および／またはアクセスポイント識別子、グループ識別子、セクタ識別子、提供されるサービス、関係するアクセスプロバイダなどの１つまたは複数の追加の考慮事項に関係しうる。それに加えて、パラメータは、機能強化された課金の態様、追加のサービス、または速度、および／または同様のものを提供する、ホームアクセスポイントによって提供されているセルに関係しうる。これらのパラメータは、望ましいアクセスポイント（例えば、ホームアクセスポイントなど）の考慮を高め、他のアクセスポイントの考慮を減らすためのオフセットまたはヒステリシスにも関係しうる。５０４で、周囲セルは、決定されたパラメータに従ってランク付けされうる。ランク付けは、無線通信サービスの提供元となる望ましいセルの順序を示すことができる。
【００５０】
５０６で、最高ランクのセルが現在使用されているセルかどうかを判定できる。このような判定は、最適なアクセスポイントとの接続を確実なものとするために使用できる。最高ランクのセルが、無線通信を受けるために現在使用されているセルである場合、この方法は、ステップ５０２に戻り、再び、周囲セルを測定する。これは、ネットワークをセル測定で氾濫させないため、またはセルを常時測定してリソースを消費しないように、一例ではタイマーに基づくものとすることができる。最高ランクのセルが、現在使用されているセルでない場合、５０８で、本明細書で説明されているように、セル再選択を実行して最高ランクのセルを再選択することができる。一例では、再選択が完了した後、一例における方法はステップ５０２に戻り、周囲セルの測定を続行することができることが理解されるであろう。説明されているように、アクセスポイントは、基地局、フェムトセル、および／または同様のものとすることができる。
【００５１】
図６を参照すると、セル再選択においてアクセスポイントのランク付けを容易にする方法６００が、示されている。６０２で、サービスを、第１のアクセスポイントから受ける。このサービスは、例えば、ネットワーク上の通信を容易にするためにアクセスポイントによって提供される無線ネットワークアクセスに関連付けることができる。６０４で、第２のアクセスポイントの種別および信号強度が決定されうる。これは、例えば、再選択のために周囲アクセスポイントを測定することができるセル再選択プロシージャの一部として実行されうる。それに加えて、種別は、説明されているように、優先アクセスポイントおよび／または制限付きアクセスポイントの維持されているリスト内のアクセスポイント存在に少なくとも部分的に基づいて決定されうる。６０６で、その種別に基づいて第２のアクセスポイントの信号強度にオフセットを適用することができる。オフセットは、例えば、セル再選択のために測定および／またはランク付けのときに適用することができる。オフセットは、説明されているように、第２のアクセスポイントの種別に基づいてプラスおよび／またはマイナスとすることができる。したがって、第２のアクセスポイントが、優先される場合、例えば、オフセットは、プラスであり、これにより、より良い信号品質を持つ可能性のある他のアクセスポイントよりもそのアクセスポイントが優先されうる（例えば、その優先アクセスポイントは、より望ましい他の態様を持つ可能性があるため）。６０８で、第２のアクセスポイントは、オフセット適用信号強度に基づいて再選択ためにランク付けされうる。したがって、アクセスポイントは、上の実施例のように、低い信号強度を有している可能性があるけれども、強い信号を持つものに優先して、そのアクセスポイントに対し再選択が実行され、そのアクセスポイントに関係する他の望ましい態様を利用することができる。
【００５２】
図７を参照すると、セル再選択において選択的ヒステリシス値を適用することを容易にする方法７００が、示されている。７０２で、周囲アクセスポイントパラメータを測定し、再選択を容易にすることができる。したがって、一例では、現在のアクセスポイントとの同時通信が実行されうる。７０４で、種別に基づいて現在のアクセスポイントの測定結果にヒステリシス値を適用することができる。したがって、現在のアクセスポイントの種別に基づき、セル再選択についてヒステリシス値を選択することができる。一例では、種別は、アクセスが受信可能である優先および／または制限付き関連付けアクセスポイントであるものとすることができ、この例では、選択されたヒステリシス値は、アクセスポイントが優先でない場合に比べて大きくすることができる。したがって、アクセスポイントが優先アクセスポイントである場合、ヒステリシス値は、アクセスポイントに対するカバレッジを拡大しうる、現在のアクセスポイントに関係する測定値にプラスの影響を及ぼしうる。７０６で、アクセスポイントのランク付けの際に、周囲アクセスポイント測定結果を現在のアクセスポイントの測定結果と比較することができる。したがって、説明されているように、現在のアクセスポイントのヒステリシス値適用測定結果は、他のアクセスポイントの値に関して評価することができ、７０８で、周囲アクセスポイントがまだ現在のアクセスポイントよりランクが上である場合、周囲アクセスポイントとの通信を確立することができる。
【００５３】
本明細書で説明されている１つまたは複数の態様により、パラメータを測定すること、パラメータ（および／または追加のパラメータ）に従ってセルをランク付けすることなどのセル再選択の多くの態様、さらには説明されているような実際の再選択の態様（再選択を実行する時期など）についても推論することができることは理解されるであろう。本明細書で使用しているように、「推論する」または「推論」という用語は、一般に、イベントおよび／またはデータを介して得られるような一組の観察結果から、システム、環境、および／またはユーザの状態を推理または推論するプロセスを指す。推論は、特定のコンテキストまたはアクションを識別するために使用されることができ、または例えば、複数の状態にわたる確率分布を生成することができる。推論は確率的であってよい、つまり、データおよびイベントの考察に基づいて注目している状態上の確率分布を計算することができる。推論は、さらに、一組のイベントおよび／またはデータから高水準のイベントを構成するために使用される手法を指す場合もある。このような推論を行うことで、イベント同士が時間的に近い関係による相関関係があるかどうか、またイベントおよびデータが１つまたは複数のイベントおよびデータソースを発生元としているかどうかに関係なく、一組の観察されたイベントおよび／または格納されているイベントデータから新しいイベントまたはアクションが構築される。一例では、それに加えて、説明されているように、セル再選択において望ましいまたは優先アクセスポイントにカバレッジを拡大するために見込みおよび／または現在のアクセスポイントに適用するオフセットおよび／またはヒステリシス値を決定する際に推論することができる。
【００５４】
図８は、いくつかの種別のアクセスポイントを優先するセル再選択においてヒステリシスおよび／またはオフセット値を適用することを容易にするモバイルデバイス８００を示している。モバイルデバイス８００は、例えば、受信アンテナ（図に示されていない）から信号を受信し、受信された信号に対し典型的なアクションを実行し（例えば、フィルタ処理、増幅、ダウンコンバートなどを行い）、調整信号を２値化してサンプルを得る受信機８０２を備える。受信機８０２は、受信したシンボルを復調し、それらのシンボルをチャネル推定のためプロセッサ８０６に送ることができる復調装置８０４を備えることができる。プロセッサ８０６は、受信機８０２によって受信された情報を分析し、および／または送信機８１６よる送信のため情報を生成することを専ら行うプロセッサ、モバイルデバイス８００の１つまたは複数のコンポーネントを制御するプロセッサ、および／または受信機８０２によって受信された情報を分析し、送信機８１６による送信のため情報を生成し、モバイルデバイス８００の１つまたは複数のコンポーネントを制御する作業すべてを行うプロセッサとすることができる。
【００５５】
モバイルデバイス８００は、それに加えて、プロセッサ８０６に動作可能なように結合され、送信すべきデータ、受信されたデータ、利用可能なチャネルに関係する情報、分析された信号および／または干渉強度に関連するデータ、割り当てられたチャネル、電力、速度などに関係する情報、およびチャネルを推定し、チャネルを介して通信するのに適した他の情報を格納することができるメモリ８０８を備えることができる。メモリ８０８は、それに加えて、チャネル（例えば、性能ベース、容量ベースなど）を推定し、および／または利用することに関連するプロトコルおよび／またはアルゴリズムを格納することができる。
【００５６】
本明細書で説明されているデータストア（例えば、メモリ８０８）は、揮発性メモリまたは不揮発性メモリのいずれかであるか、または揮発性メモリと不揮発性メモリの両方を備えることができることは理解されるであろう。例えば、限定はしないが、不揮発性メモリとしては、読み取り専用メモリ（ＲＯＭ）、プログラム可能ＲＯＭ（ＰＲＯＭ）、電気的プログラム可能ＲＯＭ（ＥＰＲＯＭ）、電気的消去可能ＰＲＯＭ（ＥＥＰＲＯＭ）、またはフラッシュメモリが挙げられる。揮発性メモリとしては、外部キャッシュメモリとして動作するランダムアクセスメモリ（ＲＡＭ）が挙げられる。例えば、限定はしないが、利用可能なＲＡＭとしては、同期ＲＡＭ（ＳＲＡＭ）、ダイナミックＲＡＭ（ＤＲＡＭ）、同期ＤＲＡＭ（ＳＤＲＡＭ）、Ｄｏｕｂｌｅ  Ｄａｔａ  Ｒａｔｅ  ＳＤＲＡＭ（ＤＤＲ  ＳＤＲＡＭ）、Ｅｎｈａｎｃｅｄ  ＳＤＲＡＭ（ＥＳＤＲＡＭ）、Ｓｙｎｃｈｌｉｎｋ  ＤＲＡＭ（ＳＬＤＲＡＭ）、およびＤｉｒｅｃｔ  Ｒａｍｂｕｓ  ＲＡＭ（ＤＲＲＡＭ）などさまざまな形態のものが挙げられる。本発明のシステムおよび方法のメモリ８０８は、限定はしないが、これらのメモリおよび他の好適な種類のメモリを備えることを意図されている。
【００５７】
プロセッサ８０６および／または受信機８０２は、セル再選択時にさまざまな周囲セクタおよび／または関係するアクセスポイントのパラメータを受信し測定することができるセクタパラメータ測定器７１０に動作可能なようにさらに結合されうる。例えば、１つのセルに関係するアクセスポイントは、現在のアクセスポイントまたは関係するセルと比較して、優れている通信パラメータ（例えば、信号強度、提供されるサービス、課金方式、および／または同様のもの）に少なくとも部分的に基づいて選択できる。それに加えて、プロセッサ８０６は、測定されたパラメータにオフセットおよび／またはヒステリシス値を決定して適用し、再選択のためいくつかのアクセスポイントにプラスまたはマイナス影響を及ぼすことができるオフセット／ヒステリシス指定器８１２に動作可能なように結合することができる。一例では、オフセット／ヒステリシス指定器８１２は、測定されたアクセスポイントにプラスのオフセットを適用して、関係するパラメータを、その後の再選択に対してより望ましいものにする（したがって、そのアクセスポイントに対するサービスエリアを広げる）ことができる。他の例では、オフセット／ヒステリシス指定器８１２は、測定されたアクセスポイントにマイナスのオフセットを適用して、関係するパラメータを、再選択に対してあまり望ましくないものにすることができる。
【００５８】
さらに、一例では、オフセット／ヒステリシス指定器８１２は、その種別に基づいて現在のアクセスポイントにヒステリシス値を選択して適用することができる。したがって、現在のアクセスポイントが優先アクセスポイントである場合、より大きいヒステリシス値を適用し、より高い測定結果を関係付け、現在の優先アクセスポイントのカバレッジを拡大することができる。アクセスポイントが、優先アクセスポイントでない場合、オフセット／ヒステリシス指定器８１２は、より低いヒステリシス値を選択して、適用することができる。ヒステリシス値は、いずれの場合も、アクセスポイントとの間の頻繁な選択および再選択を防ぐために適用することができることは理解されるであろう。モバイルデバイス８００は、さらに、信号を変調する変調装置８１４、および例えば、基地局、他のモバイルデバイスなどに信号を送信する送信機８１６を備える。プロセッサ８０６から分離しているように図に示されているけれども、セクタパラメータ測定器８１０、オフセット／ヒステリシス指定器８１２、復調装置８０４、および／または変調装置８１４は、プロセッサ８０６または複数のプロセッサ（図示されていない）の一部であってもよいことは理解されるであろう。
【００５９】
図９は、例示的な無線通信システム９００を示している。無線通信システム９００は、簡単にするため１つの基地局９１０および１つのモバイルデバイス９５０として示されている。しかし、システム９００は、複数の基地局および／または複数のモバイルデバイスを備えることができ、追加の基地局および／またはモバイルデバイスは、後述の例の基地局９１０およびモバイルデバイス９５０に実質的に類似していても異なっていてもよいことを理解されたい。それに加えて、基地局９１０および／またはモバイルデバイス９５０は、本明細書で説明されているシステム（図１〜４および８）、および／または方法（図５〜７）を使用することでそれらの間の無線通信を容易に行えるようにできることを理解されたい。
【００６０】
基地局９１０では、多数のデータストリームのトラヒックデータが、データソース９１２から送信（ＴＸ）データプロセッサ９１４に送られる。一例によれば、それぞれのデータストリームは、各アンテナで送信されうる。ＴＸデータプロセッサ９１４は、そのデータストリームについて選択された特定のコード体系に基づいてトラヒックデータストリームをフォーマットし、符号化し、インターリーブして、符号化データを出力する。
【００６１】
それぞれのデータストリームについて符号化されたデータは、直交周波数分割多重（ＯＦＤＭ）技術を使用してパイロットデータと多重化できる。それに加えて、またはその代わりに、パイロットシンボルは、周波数分割多重化されるか（ＦＤＭ）、時分割多重化されるか（ＴＤＭ）、または符号分割多重化されうる（ＣＤＭ）。パイロットデータは、典型的には、知られている方法で処理され、チャネル応答を推定するためにモバイルデバイス９５０において使用できる知られているデータパターンである。それぞれのデータストリームに対する多重化されたパイロットおよび符号化データは、そのデータストリームに対し選択された特定の変調方式（例えば、二位相偏移変調（ＢＰＳＫ）、四位相偏移変調（ＱＰＳＫ）、Ｍ位相偏移変調（Ｍ−ＰＳＫ）、またはＭ値直交振幅変調（Ｍ−ＱＡＭ）など）に基づいて変調され（つまり、シンボルマッピングされ）、変調シンボルを出力することができる。それぞれのデータストリームに対するデータ転送速度、符号化、および変調は、プロセッサ９３０によって実行されるか、または与えられる命令によって決定されうる。
【００６２】
データストリームに対する変調シンボルが、ＴＸ  ＭＩＭＯプロセッサ９２０に送られ、そこでさらに、変調シンボルを処理することができる（例えば、ＯＦＤＭ用に）。次いで、ＴＸ  ＭＩＭＯプロセッサ９２０は、ＮＴ個の変調シンボルストリームをＮＴ個の送信機（ＴＭＴＲ）９２２ａから９２２ｔに送る。さまざまな実施形態において、ＴＸ  ＭＩＭＯプロセッサ９２０は、ビームフォーミング重みをデータストリームのシンボルに適用し、またシンボルが送信されているアンテナに適用する。
【００６３】
それぞれの送信機９２２は、それぞれのシンボルストリームを受信し、処理して、１つまたは複数のアナログ信号を生成し、さらに、それらのアナログ信号を調整（例えば、増幅、フィルタ処理、およびアップコンバート）して、ＭＩＭＯチャネルで伝送するのに適した変調信号を生成する。さらに、送信機９２２ａ〜９２２ｔのＮＴ個の変調信号は、ＮＴ個のアンテナ９２４ａ〜９２４ｔからそれぞれ送信される。
【００６４】
モバイルデバイス９５０では、送信された変調信号は、ＮＲ個のアンテナ９５２ａ〜９５２ｒにより受信され、それぞれのアンテナ９５２からの受信された信号は、それぞれの受信機（ＲＣＶＲ）９５４ａ〜９５４ｒに送られる。それぞれの受信機９５４は、それぞれの信号を調整（例えば、フィルタ処理、増幅、およびダウンコンバート）し、調整信号を２値化して、サンプルを形成し、さらに、それらのサンプルを処理して対応する「受信」シンボルストリームを形成する。
【００６５】
ＲＸデータプロセッサ９６０は、特定の受信機処理技術に基づいてＮＲ個の受信機９５４からＮＲ個の受信機シンボルストリームを受信して、処理し、ＮＴ個の「検出」シンボルストリームを形成することができる。ＲＸデータプロセッサ９６０は、それぞれの検出シンボルストリームを復調し、逆インターリーブし、復号して、そのデータストリームに対するトラヒックデータを復元することができる。ＲＸデータプロセッサ９６０による処理は、基地局９１０におけるＴＸ  ＭＩＭＯプロセッサ９２０およびＴＸデータプロセッサ９１４により実行される処理を補完するものである。
【００６６】
プロセッサ９７０は、上述のようにどのプリコーディング行列を使用するかを定期的に決定することができる。さらに、プロセッサ９７０は、行列添え字部分および階数値部分を備える逆方向リンクメッセージを構成することができる。
【００６７】
逆方向リンクメッセージは、通信リンクおよび／または受信データストリームに関するさまざまな種類の情報を備えうる。リバースリンクメッセージは、さらにデータソース９３６から多数のデータストリームに対するトラヒックデータを受信するＴＸデータプロセッサ９３８によって処理され、変調装置９８０によって変調され、送信機９５４ａ〜９５４ｒによって調整され、基地局９１０に送り返されうる。
【００６８】
基地局９１０では、モバイルデバイス９５０からの変調信号は、アンテナ９２４によって受信され、受信機９２２によって調整され、復調装置９４０によって復調され、ＲＸデータプロセッサ９４２によって処理され、こうして、モバイルデバイス９５０によって送信されたリバースリンクメッセージを抽出する。さらに、プロセッサ９３０は、抽出されたメッセージを処理して、ビームフォーミング重みを決定するためにどのプリコーディング行列を使用するかを決定することができる。
【００６９】
プロセッサ９３０および９７０は、めいめい、基地局９１０およびモバイルデバイス９５０におけるオペレーションを指令する（例えば、制御、調整、管理などを行う）ことができる。各プロセッサ９３０および９７０は、プログラムのコードおよびデータを格納するメモリ９３２および９７２に関連付けることができる。プロセッサ９３０および９７０は、さらに、それぞれアップリンクおよびダウンリンクに対する周波数およびインパルス応答推定を導出する計算を実行することもできる。
【００７０】
本明細書で説明されている実施形態は、ハードウェア、ソフトウェア、ファームウェア、ミドルウェア、マイクロコード、またはこれらの任意の組合せで実装することができることは理解されるであろう。ハードウェアによる実装では、処理ニットは、１つまたは複数の特定用途向け集積回路（ＡＳＩＣ）、デジタルシグナルプロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、本明細書で説明されている機能を実行するように設計されている他の電子ユニット内に、またはこれらの組合せで実装することができる。
【００７１】
これらの実施形態が、ソフトウェア、ファームウェア、ミドルウェアまたはマイクロコード、プログラムコード、またはコードセグメントで実装される場合、これらは、記憶装置コンポーネントなどの機械可読媒体内に格納することができる。コードセグメントは、プロシージャ、関数、サブプログラム、プログラム、ルーチン、サブルーチン、モジュール、ソフトウェアパッケージ、クラス、または命令、データ構造体、もしくはプログラムステートメントの任意の組合せを表すことができる。コードセグメントは、情報、データ、引数、パラメータ、またはメモリ内容を受け渡し、および／または受信することにより、他のコードセグメントまたはハードウェア回路に結合されるようにできる。情報、引数、パラメータ、データなどは、メモリ共有、メッセージパッシング、トークンパッシング、ネットワーク伝送などを含む、任意の好適な手段を使用して受け渡されるか、転送されるか、または伝送されるようにできる。
【００７２】
ソフトウェアによる実装では、本明細書で説明されている技術は、本明細書で説明されている機能を実行するモジュール（例えば、プロシージャ、関数など）で実装することができる。ソフトウェアコードは、メモリユニット内に格納され、プロセッサにより実行されうる。メモリユニットは、プロセッサ内に、またはプロセッサの外部に実装することができ、その場合、当技術分野で知られているようにさまざまな手段を介してプロセッサに通信可能なように結合することができる。
【００７３】
図１０を参照すると、無線ネットワーク内のセル再選択に関係するオフセット値を適用するシステム１０００が、示されている。例えば、システム１０００は、基地局、フェムトセル、モバイルデバイスなどの中に配置されうる。図示されているように、システム１０００は、プロセッサ、ソフトウェア、またはこれらの組合せ（例えば、ファームウェア）によって実装される機能を表すことができる機能ブロックを備える。システム１０００は、連携動作する電気コンポーネントの論理グループ１００２を含む。論理グループ１００２は、アクセスポイントからサービスを受けるための手段１００４を備えることができる。例えば、サービスは、説明されているように、無線ネットワーク内のさまざまなデバイスとの通信に関係しうる。さらに、論理グループ１００２は、第２のアクセスポイントの種別および信号強度を判定するための手段１００６を備えることができる。これは、説明されているように、セル再選択プロセスの一部とすることができ、周囲セクタおよび／または関係するアクセスポイントを評価して、セル再選択を行うことでネットワークアクセスが改善されるかどうかを判定する。さらに、論理グループ１００２は、第１のアクセスポイントから再選択のために第２のアクセスポイントの信号強度にオフセットを適用するための手段１００８を備えることができ、このオフセットは、第２のアクセスポイントの種別に少なくとも部分的に基づいて選択される。説明されているように、このオフセットは、例えば、アクセスポイントが優先アクセスポイントであり、および／または制限付き関連付けである場合に第２のアクセスポイントにとって有利な場合がある。したがって、オフセットを適用することは、測定結果にプラスの影響を及ぼし、第２のアクセスポイントのカバレッジを拡大することができる。他の例では、アクセスポイントが、例えば、優先アクセスポイントでない場合も、同様に、マイナスのオフセットを適用して第２のアクセスポイントへのセル再選択を緩和することができる。それに加えて、システム１０００は、電気コンポーネント１００４、１００６、および１００８に関連付けられている機能を実行するための命令を保持するメモリ１０１０を備えることができる。電気コンポーネント１００４、１００６、および１００８は、メモリ１０１０の外部にあるものとして示されているが、メモリ１０１０内に存在していてもよいことは理解されるであろう。
【００７４】
上述した内容は、１つまたは複数の実施形態の複数の例を含む。もちろん、上述の実施形態を説明するためにコンポーネントまたは方法の考えられるすべての組合せを説明することは不可能であるが、当業者であれば、さまざまな実施形態のさらに多くの組合せおよび置換が可能であることを了解できる。したがって、説明されている実施形態は、付属の請求項の精神と範囲内に収まるすべてのそのような改変、修正、および変更形態を包含することを意図されている。さらに、「含む、備える（ｉｎｃｌｕｄｅ）」という言い回しが詳細な説明または請求項で使用されている範囲において、「備える（ｃｏｍｐｒｉｓｉｎｇ）」が使用された場合に請求項の中で接続語として解釈されるのでこのような用語は「備える（ｃｏｍｐｒｉｓｉｎｇ）」という用語と同様の使い方で包含的であることが意図される。さらに、説明されている態様および／または実施形態の要素は、単数形で説明または請求されている場合があるが、単数形に限定されることが明示的に述べられていない限り、複数形が考慮される。それに加えて、任意の態様および／または実施形態の全部または一部は、別段の指定のない限り、他の態様および／または実施形態の全部または一部とともに使用することができる。
【００７５】
本明細書で開示されている実施形態に関して説明されているさまざまな例示的な論理回路、論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラム可能論理デバイス、ディスクリートゲートまたはトランジスタロジック、ディスクリートハードウェアコンポーネント、または本明細書で説明されている機能を実行するように設計されているこれらの任意の組合せにより実装または実行することができる。汎用プロセッサは、マイクロプロセッサであってよいが、代替として、プロセッサは、任意の従来のプロセッサ、コントローラ、マイクロコントローラ、または状態機械であってよい。プロセッサは、コンピューティングデバイスの組合せ、例えば、ＤＳＰとマイクロプロセッサの組合せ、複数のマイクロプロセッサ、ＤＳＰコアと連携する１つまたは複数のマイクロプロセッサ、または他のそのような構成として実装することもできる。それに加えて、少なくとも１つのプロセッサは、上述のステップおよび／またはアクションのうちの１つまたは複数を実行するように動作可能な１つまたは複数のモジュールを備えることができる。
【００７６】
さらに、本明細書で開示されている態様に関して説明されている方法またはアルゴリズムのステップおよび／またはアクションは、ハードウェアで直接、ハードウェアにより実行されるソフトウェアモジュールにより、またはこれら２つの組合せにより実現することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または当技術分野で知られている他の形態の記憶媒体に格納することができる。例示的な記憶媒体は、プロセッサがその記憶媒体から情報を読み込み、その記憶媒体に情報を書き込めるようにプロセッサに結合されうる。代替形態では、記憶媒体は、プロセッサに一体化することができる。さらに、いくつかの態様では、プロセッサおよび記憶媒体は、ＡＳＩＣに収めることもできる。それに加えて、ＡＳＩＣは、ユーザ端末に収めることができる。代替形態では、プロセッサおよび記憶媒体は、ユーザ端末内のディスクリートコンポーネントとして配置することができる。それに加えて、いくつかの態様では、方法またはアルゴリズムのステップおよび／またはアクションは、コンピュータプログラム製品に組み込むことが可能な、機械可読媒体および／またはコンピュータ可読媒体上にコードおよび／または命令のうちの一方または組合せまたはセットとして配置されうる。
【００７７】
１つまたは複数の態様において、説明されている関数は、ハードウェア、ソフトウェア、ファームウェア、またはこれらの組合せで実装することができる。ソフトウェアで実装された場合、これらの関数は、コンピュータ可読媒体上で１つまたは複数の命令もしくはコードとして格納または伝送されうる。コンピュータ可読媒体は、一方の場所から他方の場所へのコンピュータプログラムの転送を容易にする媒体を含むコンピュータ記憶媒体と通信媒体の両方を含む。記憶媒体は、コンピュータによってアクセスできる利用可能な媒体とすることができる。例えば、限定はしないが、このようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または命令またはデータ構造体の形態で所望のプログラムコードを搬送または格納するために使用することができ、またコンピュータによってアクセスできる他の媒体を備えることができる。また、任意の接続を、コンピュータ可読媒体と呼んで差し支えない。例えば、ソフトウェアが同軸ケーブル、光ファイバケーブル、ツイストペア線、デジタル加入者回線（ＤＳＬ）、または赤外線、ラジオ、およびマイクロ波などの無線テクノロジを使用してウェブサイト、サーバー、または他のリモートソースから送信される場合、同軸ケーブル、光ファイバケーブル、ツイストペア線、ＤＳＬ、または赤外線、ラジオ、およびマイクロ波などの無線テクノロジは、媒体の定義に含まれる。本明細書で使用されているような、「Ｄｉｓｋ」と「Ｄｉｓｃ」（両方とも日本語ではディスク）は、コンパクトディスク（ＣＤ）、レーザーディスク（登録商標）、光ディスク、デジタル多用途ディスク（ＤＶＤ）、フロッピディスク、およびブルーレイディスクを含み、「Ｄｉｓｋ」は通常磁気的にデータを再現し、「Ｄｉｓｃ」は通常レーザーを使って光学的にデータを再現する。上記の組合せも、コンピュータ可読媒体の範囲に収まらなければならない。
以下、本願の出願当初明細書に記載された発明を付記する。
［１］
無線通信ネットワーク内のセル再選択のための方法であって、
無線通信サービスを第１のアクセスポイントから受けることと、
第２のアクセスポイントの種別および信号強度を決定することと、
該第１のアクセスポイントからセル再選択のために該第２のアクセスポイントをランク付けする際に該第２のアクセスポイントの該信号強度に、該第２のアクセスポイントの種別に少なくとも部分的に基づいて選択されるオフセットを適用することとを備える方法。［２］
前記第２のアクセスポイントの種別は、前記第２のアクセスポイントが優先アクセスポイントの維持されているリストに含まれるかどうかに関係する請求項１に記載の方法。［３］
前記第２のアクセスポイントは、優先アクセスポイントの前記維持されているリストに含まれ、前記オフセットは、正数である請求項２に記載の方法。
［４］
前記第１のアクセスポイントの種別に少なくとも部分的に基づいて前記第１のアクセスポイントの信号強度にヒステリシス値を適用することをさらに備える請求項１に記載の方法。
［５］
前記第１のアクセスポイントの種別は、前記第１のアクセスポイントが優先アクセスポイントの維持されているリストに含まれるかどうかに関係する請求項４に記載の方法。［６］
前記第１のアクセスポイント、前記第２のアクセスポイント、および／または前のすでにアクセスしたことのあるアクセスポイントから前記ヒステリシス値を受信することをさらに備える請求項４に記載の方法。
［７］
前記オフセットによって修正された前記第２のアクセスポイントの前記信号強度が、前記ヒステリシス値によって修正された前記第１のアクセスポイントの前記信号強度を超える場合に前記第２のアクセスポイントへのセル再選択を実行することをさらに備える請求項４に記載の方法。
［８］
前記セル再選択は、前記無線通信ネットワークに関してアイドル通信モードに入っている間に実行される請求項７に記載の方法。
［９］
前記オフセットによって修正された前記第２のアクセスポイントの前記信号強度が、前記ヒステリシス値によって修正された前記第１のアクセスポイントの前記信号強度を超える場合に第３のアクセスポイントへのセル再選択を実行することをさらに備える請求項４に記載の方法。
［１０］
前記第１のアクセスポイントは、前記第２のアクセスポイントと異なる周波数帯にある請求項９に記載の方法。
［１１］
前記第１のアクセスポイント、前記第２のアクセスポイント、および／または前のすでにアクセスしたことのあるアクセスポイントから前記オフセットを受信することをさらに備える請求項１に記載の方法。
［１２］
前記第２のアクセスポイントの前記決定された種別は、フェムトセルまたはマクロセルを含む請求項１に記載の方法。
［１３］
前記第２のアクセスポイントの前記決定された種別は、前記第２のアクセスポイントが制限付きまたは非制限付き関連付けを実行するかどうかを含む請求項１に記載の方法。［１４］
前記第２のアクセスポイントの前記信号強度は、前記第１のアクセスポイントから離れるようにチューニングすることによって決定される請求項１に記載の方法。
［１５］
無線通信装置であって、
無線通信サービスを第１のアクセスポイントから受け、
該第１のアクセスおよび第２のアクセスポイントのそれぞれに対する種別および信号強度を受信し、
該第１のアクセスポイントからセル再選択のために該第２のアクセスポイントをランク付けする際に該第２のアクセスポイントの該信号強度に、該第２のアクセスポイントの種別に少なくとも部分的に基づいて適用されるオフセットを適用し、
該第１のアクセスポイントから再選択のために該第２のアクセスポイントをランク付けする際に該第１のアクセスポイントの該信号強度に、該第１のアクセスポイントの種別に少なくとも部分的に基づいて選択されるヒステリシスを適用するように構成された
少なくとも１つのプロセッサと、
該少なくとも１つのプロセッサに結合されたメモリとを備える無線通信装置。
［１６］
１つまたは複数のアクセスポイントへのセル再選択を実行することを容易にする無線通信装置であって、
サービスを第１のアクセスポイントから受けるための手段と、
第２のアクセスポイントの種別および信号強度を決定するための手段と、
該第１のアクセスポイントから再選択のために該第２のアクセスポイントをランク付けする際に該第２のアクセスポイントの該信号強度に、該第２のアクセスポイントの種別に少なくとも部分的に基づいて選択されるオフセットを適用するための手段とを備える無線通信装置。
［１７］
コンピュータプログラム製品であって、
第１のアクセスポイントから無線通信サービスを少なくとも１つのコンピュータに受けさせるためのコードと、
第２のアクセスポイントの種別および信号強度を該少なくとも１つのコンピュータに決定されるためのコードと、
該第１のアクセスポイントからセル再選択のために該第２のアクセスポイントをランク付けする際に該第２のアクセスポイントの該信号強度に、該第２のアクセスポイントの種別に少なくとも部分的に基づいて選択されるオフセットを適用することを該少なくとも１つのコンピュータに行わせるためのコードとを備える
コンピュータ可読媒体を備えるコンピュータプログラム製品。
［１８］
装置であって、
１つまたは複数の周囲アクセスポイントの信号強度を測定するセクタパラメータ測定器と、
該１つまたは複数の周囲アクセスポイントの該信号強度に、その種別に少なくとも部分的に基づいてオフセットを適用するアクセスポイントオフセット指定器と、
現在のアクセスポイントに関して該オフセット適用信号強度のランク付けに少なくとも部分的に基づいて該１つまたは複数の周囲アクセスポイントとの通信を確立するセル再選択器とを備える装置。
［１９］
優先アクセスポイントおよび／または関係するグループの維持されているリスト内の前記１つまたは複数の周囲アクセスポイントの存在に少なくとも部分的に基づいて前記１つまたは複数の周囲アクセスポイントの種別を決定するアクセスリスト制御器をさらに備える請求項１８に記載の装置。
［２０］
前記１つまたは複数の周囲アクセスポイントは、優先アクセスポイントの前記維持されているリストに含まれ、前記オフセットは、正数である請求項１９に記載の装置。
［２１］
前記現在のアクセスポイントの種別に少なくとも部分的に基づいて前記現在のアクセスポイントの信号強度にヒステリシス値を適用するアクセスポイントヒステリシス指定器をさらに備える請求項１８に記載の装置。
［２２］
前記現在のアクセスポイントの種別は、前記現在のアクセスポイントが優先アクセスポイントおよび／または関係するグループの維持されているリストに含まれるかどうかに関係する請求項２１に記載の装置。
［２３］
前記アクセスポイントヒステリシス指定器は、前記現在のアクセスポイント、前記１つまたは複数の周囲アクセスポイント、および／または前のすでにアクセスしたことのあるアクセスポイントから前記ヒステリシス値を受信する請求項２１に記載の装置。
［２４］
前記アクセスポイントオフセット指定器は、前記現在のアクセスポイント、前記１つまたは複数の周囲アクセスポイント、および／または前のすでにアクセスしたことのあるアクセスポイントから前記オフセットを受信する請求項１８に記載の装置。
［２５］
前記セル再選択器は、前記現在のアクセスポイントに関してアイドル通信モードに入っている間に前記１つまたは複数の周囲アクセスポイントとの通信を確立する請求項１８に記載の装置。
［２６］
前記セル再選択器は、前記通信確立が、前記１つまたは複数の周囲アクセスポイントによって拒否された場合に異なるアクセスポイントとの通信を確立する請求項１８に記載の装置。
［２７］
前記異なるアクセスポイントは、前記１つまたは複数の周囲アクセスポイントと異なる周波数帯にある請求項２６に記載の装置。
［２８］
前記１つまたは複数の周囲アクセスポイントの種別は、フェムトセルまたはマクロセルを含む請求項１８に記載の装置。
［２９］
前記１つまたは複数の周囲アクセスポイントの種別は、前記１つまたは複数の周囲アクセスポイントが制限付きまたは非制限付き関連付けを有するかどうかを含む請求項１８に記載の装置。
［３０］
前記１つまたは複数の周囲アクセスポイントの信号強度は、前記現在のアクセスポイントから離れるようにチューニングすることによって決定される請求項１８に記載の装置。
【図１】
0005415440.tif 000002
【図２】
0005415440.tif 000003
【図３】
0005415440.tif 000004
【図４】
0005415440.tif 000005
【図５】
0005415440.tif 000006
【図６】
0005415440.tif 000007
【図７】
0005415440.tif 000008
【図８】
0005415440.tif 000009
【図９】
0005415440.tif 000010
【図１０】
0005415440.tif 000011